(57)【要約】【課題】簡単な構成で高品質化・高速化できるＣＡＴＶシステムを提供する。【解決手段】ＨＦＣ伝送方式のＣＡＴＶシステムにおいて，ＣＡＴＶセンターには波長分割多重化装置が備えられ，電気信号を伝送する各種中継器の何れかには端末側から電気信号として出力された上り信号を，光送受信機において送受信される光信号とは異なる波長の光信号に変換して送出する光送信機が備えられ，上り用光伝送路には，波長分割多重化装置が２つ備えられたクロージャーが介設され，一方の波長分割多重化装置は前記上り用光伝送路に介設され，他方の波長分割多重化装置は複数の光送信機と光伝送路で接続され，前記光送信機から送出される光信号を波長分割多重すると共に，一方の波長分割多重化装置と光伝送路で接続されることによって，前記上り用光伝送路を利用して，ＣＡＴＶセンターとクロージャーとの間を光信号が波長分割多重されて伝送される。【選択図】  図１
2005236411.tif 000002
【特許請求の範囲】
【請求項１】
端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，
前記ＣＡＴＶセンターには波長分割多重化装置が備えられ，
前記双方向増幅装置の何れかには前記端末側から電気信号として出力された上り信号を，  前記光送受信機において送受信される光信号とは異なる波長の光信号に変換して送出する光送信機が備えられ，
前記下り用光伝送路及び前記上り用光伝送路若しくは何れか一方の伝送路には，少なくとも波長分割多重化装置が２つ備えられたクロージャーが介設され，
一方の波長分割多重化装置は前記下り用光伝送路及び前記上り用光伝送路若しくは何れか一方の伝送路に介設され，
他方の波長分割多重化装置は，複数の前記双方向増幅器に備えさせた光送信機と光伝送路で接続され前記光送信機から送出される光信号を波長分割多重すると共に，一方の波長分割多重化装置と光伝送路で接続されることによって，前記下り用光伝送路及び前記上り用光伝送路若しくは何れか一方の伝送路を利用して，ＣＡＴＶセンターとクロージャーとの間を光信号が波長分割多重されて伝送されるように構成したことを特徴としたＣＡＴＶシステム。
【請求項２】
前記ＣＡＴＶセンターから前記下り用光伝送路に送出される光信号の波長は１．３１μｍであり，
前記光送受信機から前記上り用光伝送路に送出される光信号の波長は１．３１μｍであり，
前記光送信機からに前記光伝送路に送出される光信号の波長は１．５５μｍ帯であることを特徴とした請求項１に記載のＣＡＴＶシステム。
【請求項３】
前記クロージャーに備えられた一方の波長多重化装置と他方の波長多重化装置とを，エルビウム添加光ファイバ増幅器を介して接続すると共に，前記ＣＡＴＶセンターに備えた波長分割多重化装置にもエルビウム添加光ファイバ増幅器を備えたことを特徴とした請求項２に記載のＣＡＴＶシステム。
【請求項４】
前記双方向増幅器に備えた光送信機をユニット化して，当該光送信機ユニットを前記双方向増幅器に着脱自在に固着することにより，
前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成したことを特徴とした請求項１乃至請求項３の何れかに記載のＣＡＴＶシステム。
【発明の詳細な説明】
【技術分野】
【０００１】
本発明は，ＣＡＴＶセンターから端末側へ下り信号を伝送すると共に，前記端末側から前記ＣＡＴＶセンターへ上り信号を伝送するＨＦＣ（Ｈｉｂｒｉｄ  Ｆｉｂｅｒ  Ｃｏａｘ：以下ＨＦＣと記載する）伝送方式のＣＡＴＶシステムシステムに関する。
【背景技術】
【０００２】
従来のＨＦＣ伝送方式のＣＡＴＶシステムは，ＣＡＴＶセンターからの下り信号を加入者宅の近辺までは下り用光伝送路で伝送し，光／電気変換装置で電気信号に変換した後，同軸ケーブルにて各加入者宅まで伝送すると共に，加入者宅からの上り信号も同じ同軸ケーブルで伝送し，電気／光変換装置で光信号に変換した後，上り用光伝送路でＣＡＴＶセンターまで伝送する構成となっていた。
このようなＨＦＣ伝送方式においては，その双方向性や高速性を活かして，ＣＡＴＶインターネットやＣＡＴＶ電話等のサービスが期待できるが，こうしたＣＡＴＶネットワークの更なる高速化に対応し，また上り流合雑音による影響を軽減することでシステムのＣ／Ｎを改善することで高品質化に対応するためにノードの細分化を行うのである。（例えば，特許文献１参照）
【０００３】
【特許文献１】特開２００２−１０１４０１号公報
【発明の開示】
【発明が解決しようとする課題】
【０００４】
しかし，従来のＨＦＣ伝送方式によるＣＡＴＶシステムではノードの細分化を行って，ＣＡＴＶネットワークの高速化・高品質化に対応する方法がとられるのであるが，新設のシステムであれば予め高速伝送可能なシステムを構築できるのであるが，既設のシステムを高速化・高品質化するためノードを細分化するためには，例えば電気信号伝送路に介設した幹線分岐増幅器等の双方向増幅器を上り信号用の光送信機を備えたものに変更したり，光送信機を内蔵させたりし，加えて当該光送信機（言い換えれば幹線分岐増幅器等の双方向増幅装置）から送出される光信号を新しく光ファイバーを増設することによって前記光送信機とＣＡＴＶセンター側とを接続する方法が考えられていた。
ところがこうした伝送方式にすれば，新たに上り用の光ファイバが必要となり，このため光ファイバの増設工事を行うか，光ファイバの収納本数の多い光ファイバケーブルに変更する必要が生じ，この結果ＣＡＴＶシステム全体の改造コストが増加するといった問題があった。
そこで本願においては，こうした問題点を解決するためになされたものであり，
その目的は，低コストで通信品質の向上ができるＣＡＴＶシステムを提供することにある。
他の目的は，設置工事の簡単なＣＡＴＶシステムを提供することに有る。
他の目的は，既存のシステムを利用して簡単な構成で通信品質の向上ができるＣＡＴＶシステムを提供することにある。
【課題を解決するための手段】
【０００５】
上記課題を解決するために，請求項１の発明は，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，前記ＣＡＴＶセンターには波長分割多重化装置が備えられ，前記双方向増幅装置の何れかには前記端末側から電気信号として出力された上り信号を，前記光送受信機において送受信される光信号とは異なる波長の光信号に変換して送出する光送信機が備えられ，前記下り用光伝送路及び前記上り用光伝送路若しくは何れか一方の伝送路には，少なくとも波長分割多重化装置が２つ備えられたクロージャーが介設され，一方の波長分割多重化装置は前記下り用光伝送路及び前記上り用光伝送路若しくは何れか一方の伝送路に介設され，他方の波長分割多重化装置は，複数の前記双方向増幅器に備えさせた光送信機と光伝送路で接続され前記光送信機から送出される光信号を波長分割多重すると共に，一方の波長分割多重化装置と光伝送路で接続されることによって，前記下り用光伝送路及び前記上り用光伝送路若しくは何れか一方の伝送路を利用して，ＣＡＴＶセンターとクロージャーとの間を光信号が波長分割多重化されて伝送されるように構成される。
【０００６】
請求項２の発明は，請求項１のＣＡＴＶシステムにおいて，前記ＣＡＴＶセンターから前記下り用光伝送路に送出される光信号の波長は１．３１μｍであり，前記光送受信機から前記上り用光伝送路に送出される光信号の波長は１．３１μｍであり，前記光送信機からに前記光伝送路に送出される光信号の波長は１．５５μｍ帯であるように構成される。
【０００７】
請求項３の発明は，請求項２のＣＡＴＶシステムにおいて，前記クロージャーに備えられた一方の波長多重化装置と他方の波長多重化装置とを，エルビウム添加光ファイバ増幅器を介して接続すると共に，前記ＣＡＴＶセンターに備えた波長分割多重化装置にもエルビウム添加光ファイバ増幅器を備えるように構成される。
【０００８】
請求項４の発明は，請求項１乃至請求項３に何れかに記載のＣＡＴＶシステムにおいて，前記双方向増幅器に備えた光送信機をユニット化して，当該光送信機ユニットを前記双方向増幅器に着脱自在に固着することにより，前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成される。
【発明の効果】
【０００９】
請求項１の発明によれば，端末側から電気信号として出力され，少なくとも双方向増幅装置を含む電気信号伝送路を介して伝送されてきた上り信号を，上り用光伝送路を介してＣＡＴＶセンターへ伝送するために光信号に変換して，該上り用光伝送路上へ送出すると共に，前記ＣＡＴＶセンターにて電気信号から一旦光信号に変換されて，下り用光伝送路を伝送されてきた下り信号を再び電気信号に変換して前記電気信号伝送路上へ送出するための光送受信機を備えたＣＡＴＶシステムにおいて，前記ＣＡＴＶセンターには波長分割多重化装置が備えられ，前記双方向増幅装置の何れかには前記端末側から電気信号として出力された上り信号を，前記光送受信機において送受信される光信号とは異なる波長の光信号に変換して送出する光送信機が備えられ，前記下り用光伝送路及び前記上り用光伝送路若しくは何れか一方の伝送路には，少なくとも波長分割多重化装置が２つ備えられたクロージャーが介設され，一方の波長分割多重化装置は前記下り用光伝送路及び前記上り用光伝送路若しくは何れか一方の伝送路に介設され，他方の波長分割多重化装置は，複数の前記双方向増幅器に備えさせた光送信機と光伝送路で接続され前記光送信機から送出される光信号を波長分割多重すると共に，一方の波長分割多重化装置と光伝送路で接続されることによって，前記下り用光伝送路及び前記上り用光伝送路若しくは何れか一方の伝送路を利用して，ＣＡＴＶセンターとクロージャーとの間を光信号が波長分割多重されて伝送されるように構成したので，既設のＨＦＣ伝送システムを用いたＣＡＴＶシステムの光ファイバーを利用することで，新たに光ファイバーを増設したり，光ファイバーの収納本数の多い光ファイバーケーブルを使用せずともノードの細分化を行う事ができ，簡単な工事で，延いては低コストで通信品質の向上ができるＣＡＴＶシステムを提供できるのである。また，既設のＨＦＣ伝送システムばかりでなく，新しく施設するシステムにおいても，コストが安価にノードの細分化ができることで，構築の容易なＣＡＴＶシステムを提供できるのである。
【００１０】
請求項２の発明によれば，請求項１に記載のＣＡＴＶシステムにおいて，前記ＣＡＴＶセンターから前記下り用光伝送路に送出される光信号の波長は１．３１μｍであり，前記光送受信機から前記上り用光伝送路に送出される光信号の波長は１．３１μｍであり，前記光送信機からに前記光伝送路に送出される光信号の波長は１．５５μｍ帯であるように構成したので，ネットワークの高速化，高品質化のためにセルの分割化を行い，これによってノードの設置数が増えても，当該ノードから出力される光信号が波長１．５５μｍ帯を利用しているので，主たる上り信号及び下り信号の光信号と新たに追加される複数の光信号が波長分割多重化装置によって波長分割多重でき，セルの細分化がより細かく可能となるのである。
【００１１】
請求項３の発明によれば，請求項２のＣＡＴＶシステムにおいて，前記クロージャーに備えられた一方の波長多重化装置と他方の波長多重化装置とを，エルビウム添加光ファイバ増幅器を介して接続すると共に，前記ＣＡＴＶセンターに備えた波長分割多重化装置にもエルビウム添加光ファイバ増幅器を備えたように構成したので，新たに追加される複数の光信号である１．５５μｍ帯の波長を有する光信号を波長分割多重することによる混合と分波による損失を，前記エルビウム添加光ファイバ増幅器で補償できるので，セルの細分化によってノードの数が増えても上り信号のレベルを落とすことなく，主たる上り信号の光信号である１．３１μｍの波長を有する光信号と波長分割多重できる。
【００１２】
請求項４の発明によれば，請求項１乃至請求項３の何れかに記載のＣＡＴＶシステムにおいて，前記双方向増幅器に備えた光送信機をユニット化して，当該光送信機ユニットを前記双方向増幅器に着脱自在に固着することにより，
前記双方向増幅器は，前記ユニットを取り外した時は前記光送受信機から送出される下り電気信号と端末側からの上り電気信号を伝送する増幅器として動作し，前記ユニットを取り付けたときは前記光送受信機から送出される下り電気信号を増幅して端末側へ送出すると共に端末側からの上り電気信号を光変換した光信号を前記光送受信機へ送出可能なように構成したので通信速度の高速化を必要としないときや加入者の少ない時などは同軸ケーブルを用いてネットワークを構築しておいて，通信速度の高速化や加入者の増加による流合雑音を低減させる必要が生じたときはセルを細分化するために，適宜必要な双方向増幅装置に前記ユニットを取り付ければ，当該ユニットからの光信号を光送受信機の波長分割多重化装置において波長分割多重することができるので，既設の光ファイバを用いてネットワークの高速化・高品質化に容易に対応することが可能となるのである。
【発明を実施するための最良の形態】
【００１３】
以下に，本発明を具体化した実施形態の例を，図面を基に詳細に説明する。
図１は本発明に係るＣＡＴＶシステム全体構成を示す概略ブロック図であり，図２は本願の異なるＣＡＴＶシステムの全体構成を示す概略ブロック図である。図３は図１の異なる実施例を示す。
【実施例１】
【００１４】
図１は本願の実施形態におけるＣＡＴＶシステムの全体構成を示す概略ブロック図であり，図１に示すように本願のＣＡＴＶシステムは，ＣＡＴＶセンター１１から下りの光信号が下り用光ファイバ１２ｂを介して光送受信機１３まで伝送し，当該光送受信機１３で受信した下りの光信号を電気信号に変換した後に，同軸ケーブル１４，幹線分配増幅器１５等の各種中継機器を介して図示されない加入者宅の端末装置へ伝送されるように構成されていると共に，加入者宅の端末装置から前述のような各種中継機器を介して出力された上りの電気信号は，前記光送受信機１３において光信号に変換され，上り用光ファイバ１２ａを介してＣＡＴＶセンター１１へ伝送するように構成されており，更に加えて，このシステムにおいては，前記下り用光ファイバ１２ｂと上り用光ファイバ１２ａを利用してノードの細分化によるネットワークの品質向上，高速化を容易に実施できるシステムを構成している。
【００１５】
更に詳しく説明すると，ＣＡＴＶセンター１１は，アンテナ１１ａで受信した地上のテレビ放送や，アンテナ１１ｂで受信した衛星放送，或いは通信衛星からの各種電波を受信して，当該電波をＣＡＴＶ伝送路に伝送しやすいように下り電気信号に加工して加入者側へ送出するためのヘッドエンド装置１０を備えており，当該ヘッドエンド装置から出力された下り電気信号は，光送信機１８に入力される。そして，光送信機１８にて光信号に変換された下り光信号は下り用光ファイバ１２ｂを介して光送受信機１３の光受信機１３ｂへ伝送される。
【００１６】
また，ＣＡＴＶセンター１１には，ＣＡＴＶシステムとインターネットとを接続するために，ルータ１７ｃ，ハブ１７ｂ，サーバー群１７ｄ，及びセンターモデム等が備えられている。
尚，サーバー群１７ｄは図面を簡略化するように書かれているが，例えばＩＰアドレスを管理するためのＤＮＳ（ドメインネームシステム）サーバーやメールサーバー，Ｗｅｂサーバー等の各種サーバーから構成されている。これによってインターネットからの各種データはルータ１７ｃ，ハブ１７ｂ，センターモデム１７ａを介してヘッドエンド装置１０に入力された後，テレビ放送当の信号と共に下り信号として送出され前記光送受信機１３に入力される。
【００１７】
光送受信機１３の光受信機１３ｂに入力された下り光信号は下り電気信号に変換されて，同軸ケーブル１４，幹線分配増幅器１５，幹線分岐増幅器２３，分岐増幅器２５，タップオフ２６等の各種中継器を介して各加入者宅内の端末装置に送出される。
【００１８】
一方，加入者側の端末装置から出力される上り電気信号は，前記各種中継器を介して前記光送受信機１３の光送信機１３ａに入力されることで光信号に変換された後，上り用光ファイバ１２ａに送出される。この光信号の波長は例えば１．３１μｍの光信号を用いる。
ここで，上り信号の経路について更に詳しく説明する。ネットワークの高品質化，高速化を実現するためには，上述のような上り伝送路だけでは実現し難いので更なるノードの細分化を行うのであるが，例えばこの方法の一例として，幹線分岐増幅器２３を光信号にも対応させることによってセルの細分化を図るのである。
本願の実施例によれば，図に示す四箇所の幹線分岐増幅器２３に光送信機２３ａを備えさせ，上り電気信号を当該光送信機２３ａで上り光信号に変換し，この上り光信号を光ファイバ２２ａ，２２b，２２ｃ，２２ｄに送出するように構成されている。この光信号の波長は例えば１．５５μｍ帯から異なる波長の光信号を適宜選択して用いる。
尚，本願の実施例においては幹線分岐増幅器２３を上り光信号対応にする例を示したが，この実施例に限定されるものではなく幹線増幅器や幹線分配増幅器を上り光対応にしても良い。また，これらの増幅器に備える光送信機をユニット化することにより，前記増幅器の内部に着脱自在に固着するように構成することによって，加入者が少ない内は上り・下りの電気信号を増幅する増幅器として使用して，加入者が増えた時点で各増幅器に前記上り光送信ユニットを内蔵させることによって簡単な工事によってネットワークの高速化・高品質化に対応できるのである。
【００１９】
次に，前記光送信機２３ａのそれぞれの光出力は，光ファイバ２２ａ，２２ｂ，２２Ｃ，２２ｄを介してＷＤＭ（Ｗａｖｅｌｅｎｇｔｈ  Ｄｉｖｉｓｉｏｎ  Ｍｕｌｔｉｐｌｅｘｉｎｇ：波長分割多重  以下ＷＤＭと呼ぶ）装置５に接続される。このＷＤＭ装置５は光信号を波長分割多重する光混合器５ａと光混合器５ｂとからなり，当該光混合器５ａ，５ｂはクロージャーに収納されている。
クロージャーは例えば樹脂材料を用いて成型されたものであり，一方を開口した箱体と，当該箱体の開口部に被せる蓋体とからなり，光ファイバを引き込んで内部に備えたＷＤＭ装置等と接続するための収納箱であり，当該ＷＤＭ装置や光ファイバ及び接続部等を保持すると共に，水や埃から守るためのものである。
光ファイバ２２ａ，２２ｂ，２２ｃ，２２ｄを介して出力された光信号は光混合器５ａにおいて波長分割多重され，この波長分割多重された信号は光混合器５ｂに入力される。
次に，前記光混合器５ｂはＣＡＴＶセンター１１と光送受信機１３とを結ぶ上り信号用光ファイバ１２ａに介設されており，このＷＤＭ装置５ｂによって，光ファイバ１２ａを介して入力された上り光信号（波長１．３１μｍ）と光混合器５ａを介して入力された波長分割多重された上り光信号（波長１．５５μｍ帯）とが波長分割多重されて出力される。この波長分割多重された光信号は光ファイバ１２ａを介してＣＡＴＶセンター１１に送出される。
【００２０】
ＣＡＴＶセンターにはＷＤＭ装置６が備えられている。このＷＤＭ装置６は波長分割多重された光信号を分離する光分波器であり，図示されていないが二つの光分波器からなり，先ず一つの光分波器で光ファイバ１２ａでもって入力された光信号を，波長１．３１μｍの上り信号と波長１．５５μｍ帯の上り信号に分波する。そして波長１．３１μｍの上り信号は光信号を電気信号に変換する光受信機１６ａに入力される。また分波された波長１．５５μｍの上り信号は更に他方の光分波器でそれぞれ異なる波長の光信号に分波されて図示されていない受信機１６ｂ，１６ｃ，１６ｄと，図に示す光受信機１６ｅに入力されそれぞれ電気信号に変換されてヘッドエンド装置１０に入力されるのである。
【００２１】
このように本願の実施例によれば，ネットワークの高速化を必要としなかったり，加入者数が多くなくて流合雑音による問題が無かったりする場合は従来のＨＦＣ伝送方式で構築しておいて，ネットワークの高速化や加入者増に対応する必要が生じたときには，既設のシステムのセルを細分化して新しくノードを増やすことが容易にでき，更に当該追加したノードとＣＡＴＶセンターとの間を新しく光ファイバを設置しなくとも，既設の光ファイバの途中であって前記ノードの近傍にＷＤＭ装置を設けることで，当該ＷＤＭ装置と追加したノードとの接続を短い距離の光ファイバで接続して，既設のシステムの上り光信号と新しく追加した上り光信号とを波長分割多重することで，既設の光ファイバを利用してネットワークの高品質化・高速化が簡単な工事で実現できるのである。
【００２２】
尚，本願の実施例では既設のＣＡＴＶシステムの高品質化・高速化に対応させるシステムとして説明したが，この実施例に限定されるものでなく，新規のシステムにも応用できることはいうまでもない。
また，このシステムでは，光送受信機１３から送出される上り光信号と光送信機２３ａから送出される上り光信号はＷＤＭ装置５において波長分割多重できるようそれぞれ異なる波長であればよく，上述の波長の光信号に限定されるものではない。更にはノイズの影響を考慮して波長の間隔を適宜に選択することで更に特性の良いＣＡＴＶシステムが構成できる。
更に，本願の実施例では上り光ファイバー１２ｂにＷＤＭ装置５を介設し，ＣＡＴＶセンター１１にＷＤＭ装置６を配設した例を示したが，これに加えて下り光ファイバー１２ｂとＣＡＴＶセンターにＷＤＭ装置７，８を介設して，この下り光ファイバ１２ｂを利用して上り光信号を波長分割多重するように構成することで，更にセルの細分化に対応したＣＡＴＶシステムが提供できるように構成しても良いし，下り光ファイバー１２ｂだけを用いて波長分割多重するように構成しても良いことは言うまでもない。
更に，ＷＤＭ装置において複数の光信号を波長分割多重しているが，波長分割多重による損失が多い場合は，例えば図３に示すように前記ＷＤＭ装置５ａと５ｂとの間，ＷＤＭ装置６に備えられた光分波器（図示されていない）の間に，ＥＤＦＡ（Ｅｒｂｉｕｍ  Ｄｏｐｅｄ  Ｆｉｂｅｒ  Ａｍｐｌｉｆｉｅｒ：エルビウム添加光ファイバ増幅器）３０を内蔵させれば波長分割多重化による損失の少ないシステムが構築できる。尚，図２に示す実施例においてもＥＤＦＡを内蔵させても良いことは言うまでもない。
尚，本発明は上記実施の形態に限定されるものではなく，本発明の趣旨を逸脱しない範囲で各部の構成を適宜に変更して実施することも可能である。
【図面の簡単な説明】
【００２３】
【図１】本発明に係るＣＡＴＶシステム全体構成を示す概略ブロック図である。
【図２】本願の異なるＣＡＴＶシステムの全体構成を示す概略ブロック図である。
【図３】図１に示すＣＡＴＶシステムの異なる実施例の全体構成を示す概略ブロック図である。
【符号の説明】
【００２４】
５…ＷＤＭ装置，５ａ，５ｂ…光混合器，６…ＷＤＭ装置（光分波器），７…ＷＤＭ装置（光混合／分配器），８…ＷＤＭ装置，８ａ，８ｂ…光混合／分配器，１０…ヘッドエンド装置，１１…ＣＡＴＶセンター，１１ａ…地上波用アンテナ，１１ｂ…衛星用アンテナ，１２…光ファイバケーブル，１２ａ…上り用光ファイバ，１２ｂ…下り用光ファイバ，１３…光送受信機，１３ａ…光送信機，１３ｂ…光受信機，１４…同軸ケーブル，１５…幹線分配増幅器，１６ａ・・・１６ｅ，１６ｆ…光受信機，１７ａ…センターモデム，１７ｂ…ハブ，１７ｃ…ルータ，１７ｄ…サーバー類，１８…光送信機，１９…ステイタスモニタ，２２ａ，２２ｂ，２２ｃ，２２ｄ…上り用光ファイバ，２３…光対応幹線分岐増幅器，２３ａ…光送信機，２４…幹線分岐増幅器，２５…分岐増幅器，２６…タップオフ，３０…ＥＤＦＡ
【図１】
2005236411.tif 000003
【図２】
2005236411.tif 000004
【図３】
2005236411.tif 000005